【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
第１の端部および第２の端部を有するハンドピース部材と、
第１の端部および第２の端部を有する中空伸縮部材であって、前記中空伸縮部材の前記第２の端部が前記ハンドピース部材の前記第１の端部内に同心円状に配置される中空伸縮部材と、
前記中空伸縮部材の前記第１の端部内に少なくとも部分的に配置される電気外科用ブレードであって、対向する平坦側部および切断縁部を備える非導電性部材、一方の対向する平坦側部に、前記一方の対向する平坦側部の少なくとも一部が前記切断縁部付近に露出するように配置された、アクティブ電極、ならびに他方の対向する平坦側部に、前記他方の対向する平坦側部の少なくとも一部が前記切断縁部付近に露出するように配置された、リターン電極を含む、電気外科用ブレードと
を備える、超極性伸縮電気外科用ペンシル。
【請求項２】
前記電気外科用ペンシルが、電気外科手術を行うために使用する際に単極モードと双極モードの両方で使用することができる、請求項１に記載の超極性伸縮電気外科用ペンシル。
【請求項３】
前記電気外科用ペンシルが、２０ワット未満の電力レベルで組織を切断および凝固することが可能である、請求項２に記載の超極性伸縮電気外科用ペンシル。
【請求項４】
前記電気外科用ブレードの少なくとも一部を前記中空伸縮部材内に保持するための、前記中空伸縮部材内に位置する保持部材をさらに備える、請求項１に記載の超極性伸縮電気外科用ペンシル。
【請求項５】
第１の絶縁ワイヤであって、前記電気外科用ブレードの前記アクティブ電極、および前記第１の絶縁ワイヤの少なくとも一部を前記ハンドピース部材の上部内側付近に保持するための第１の保持要素に接続された、第１の絶縁ワイヤをさらに備える、請求項１に記載の超極性伸縮電気外科用ペンシル。
【請求項６】
第２の絶縁ワイヤであって、前記電気外科用ブレードの前記リターン電極、および前記第２の絶縁ワイヤの少なくとも一部を前記ハンドピース部材の下部内側付近に保持するた
めの第２の保持要素に接続された、第２の絶縁ワイヤをさらに備える、請求項５に記載の超極性伸縮電気外科用ペンシル。
【請求項７】
前記ハンドピース部材および前記中空伸縮部材が、前記電気外科用ペンシルが利用されている手術部位から離れる方向に煙およびデブリのうちの少なくとも１つを排出するための排出チャネルを形成する、請求項６に記載の超極性伸縮電気外科用ペンシル。
【請求項８】
前記ハンドピース部材の前記第２の端部に接続された旋回部材をさらに備える、請求項７に記載の超極性伸縮電気外科用ペンシル。
【請求項９】
前記旋回部材、前記ハンドピース部材、および前記中空伸縮部材が、前記電気外科用ペンシルが利用されている手術部位から離れる方向に煙およびデブリのうちの少なくとも１つを排出するための排出チャネルを形成する、請求項８に記載の超極性伸縮電気外科用ペンシル。
【請求項１０】
前記ハンドピース部材の上部内面に取り付けられた導電性細長接点部材と、前記導電性細長接点部材に対して摺動可能に係合することができるように前記電気外科用ブレードの前記アクティブ電極に接続された導電性接点部材とをさらに備える、請求項１に記載の超極性伸縮電気外科用ペンシル。
【請求項１１】
前記中空伸縮部材内に収容され、前記電気外科用ブレードの前記リターン電極に接続された、中空導電性管状部材と、前記中空導電性管状部材内でその長さに沿って摺動することができるように前記ハンドピース部材内に収容された中実導電性ロッド部材とをさらに備える、請求項１０に記載の超極性伸縮電気外科用ペンシル。
【請求項１２】
前記ハンドピース部材および前記中空伸縮部材が、前記電気外科用ペンシルが利用されている手術部位から離れる方向に煙およびデブリのうちの少なくとも１つを排出するための排出チャネルを形成する、請求項１１に記載の超極性伸縮電気外科用ペンシル。
【請求項１３】
前記中空伸縮部材の前記第１の端部に接続されたノズル部材であって、前記電気外科用ブレードの少なくとも一部が前記ノズル部材内に配置されるノズル部材をさらに備える、請求項１１に記載の超極性伸縮電気外科用ペンシル。
【請求項１４】
前記ノズル部材、前記ハンドピース部材、および前記中空伸縮部材が、前記電気外科用ペンシルが利用されている手術部位から離れる方向に煙およびデブリのうちの少なくとも１つを排出するための排出チャネルを形成する、請求項１３に記載の超極性伸縮電気外科用ペンシル。
【請求項１５】
前記ハンドピース部材の前記第２の端部に接続された第１の端部と、真空管に接続可能な第２の端部とを有する中空旋回部材をさらに備える、請求項１４に記載の超極性伸縮電気外科用ペンシル。
【請求項１６】
第１の端部および第２の端部を有するハンドピース部材と、
第１の端部および第２の端部を有する中空伸縮部材であって、前記中空伸縮部材の前記第２の端部が前記ハンドピース部材の前記第１の端部内に同心円状に配置される中空伸縮部材と、
前記中空伸縮部材の前記第１の端部内に少なくとも部分的に配置される電気外科用ブレードであって、対向する平坦側部および切断縁部を備える非導電性部材、一方の対向する平坦側部に、前記一方の対向する平坦側部の少なくとも一部が前記切断縁部付近に露出するように配置された、アクティブ電極、ならびに他方の対向する平坦側部に、前記他方の
対向する平坦側部の少なくとも一部が前記切断縁部付近に露出するように配置された、リターン電極を含む、電気外科用ブレードと、
第１の絶縁ワイヤであって、前記電気外科用ブレードの前記アクティブ電極、および前記第１の絶縁ワイヤの少なくとも一部を前記ハンドピース部材の上部内側付近に保持するための第１の保持要素に接続された、第１の絶縁ワイヤと、
第２の絶縁ワイヤであって、前記電気外科用ブレードの前記リターン電極、および前記第２の絶縁ワイヤの少なくとも一部を前記ハンドピース部材の下部内側付近に保持するための第２の保持要素に接続された、第２の絶縁ワイヤと
を備える、超極性伸縮電気外科用ペンシル。
【請求項１７】
第１の端部および第２の端部を有するハンドピース部材と、
第１の端部および第２の端部を有する中空伸縮部材であって、前記中空伸縮部材の前記第２の端部が前記ハンドピース部材の前記第１の端部内に同心円状に配置される中空伸縮部材と、
前記中空伸縮部材の前記第１の端部内に少なくとも部分的に配置される電気外科用ブレードであって、対向する平坦側部および切断縁部を備える非導電性部材、一方の対向する平坦側部に、前記一方の対向する平坦側部の少なくとも一部が前記切断縁部付近に露出するように配置された、アクティブ電極、ならびに他方の対向する平坦側部に、前記他方の対向する平坦側部の少なくとも一部が前記切断縁部付近に露出するように配置された、リターン電極を含む、電気外科用ブレードと、
前記ハンドピース部材の上部内面に取り付けられた導電性細長接点部材、および前記導電性細長接点部材に対して摺動可能に係合することができるように前記電気外科用ブレードの前記アクティブ電極に接続された導電性接点部材と、
前記中空伸縮部材内に収容され、前記電気外科用ブレードの前記リターン電極に接続された、中空導電性管状部材、および前記中空導電性管状部材内でその長さに沿って摺動することができるように前記ハンドピース部材内に収容された中実導電性ロッド部材と
を備える、超極性伸縮電気外科用ペンシル。
【請求項１８】
第１および第２の対向する平坦側部ならびに鋭利な切断端を有する非導電性部材と、
前記非導電性部材の前記第１の対向する平坦側部に、前記第１の対向する平坦側部の少なくとも一部が前記切断端付近に露出するように配置された、アクティブ電極と、
前記非導電性部材の前記第２の対向する平坦側部に、前記第２の対向する平坦側部の少なくとも一部が前記切断端付近に露出するように配置された、リターン電極と
を備える、電気外科用ブレード。
【請求項１９】
前記アクティブ電極および前記リターン電極の両方がそれぞれ、細長いフック形構成であって、各細長いフック形構成のフック部分が前記非導電性部材の前記鋭利な切断端付近に位置する細長いフック形構成を備える、請求項１８に記載の電気外科用ブレード。
【請求項２０】
ハンドピース部材と、
前記ハンドピースに接続される電気外科用ブレードであって、対向する平坦側部および鋭利な切断端を有する非導電性部材、前記非導電性部材の一方の対向する平坦側部に、前記一方の対向する平坦側部の少なくとも一部が前記鋭利な切断端付近に露出するように配置された、アクティブ電極、ならびに前記非導電性部材の他方の対向する平坦側部に、前記他方の対向する平坦側部の少なくとも一部が前記鋭利な切断端付近に露出するように配置された、リターン電極を備える、電気外科用ブレードと
を備える、電気外科用ハンドピースペンシル。
【手続補正２】
【補正対象書類名】明細書
【補正対象項目名】０００８
【補正方法】変更
【補正の内容】
【０００８】
本発明の超極性電気外科用ブレードのさらに別の例示的な実施形態では、超極性電気外科用ブレードは、対向する細長い縁部を備える第１および第２の対向する平坦側部、切断端、ならびに対向する非切断端を有する非導電性平坦部材と、非導電性平坦部材の第１の対向する平坦側部に位置する、丸みを帯びたまたは尖ったフック状形構成を有するアクティブ電極と、非導電性平坦部材の第２の対向する平坦側部に位置する、丸みを帯びたまたは尖ったフック状形構成を有するリターン電極とを含む。アクティブ電極およびリターン電極のフック状形構成は、非導電性平坦部材の切断端付近に位置する、第１および第２の対向する平坦側部の少なくとも一部を覆うことなく、非導電性平坦部材の切断端付近に位置し得る。第１の対向する平坦側部に位置するアクティブ電極のフック状形構成の少なくとも一部は、非導電性平坦部材の第２の対向する平坦側部に位置するリターン電極のフック状形構成の少なくとも一部と対称であってもよい。非導電性平坦部材は、セラミックを含んでもよく、アクティブ電極およびリターン電極は、ステンレス鋼、銅、および／またはタングステンを含んでもよい。
【手続補正３】
【補正対象書類名】明細書
【補正対象項目名】００１３
【補正方法】変更
【補正の内容】
【００１３】
本発明は、第１および第２の端部を有するハンドピース部材と、第１および第２の端部を有する中空伸縮部材であって、中空伸縮部材の第２の端部がハンドピース部材の第１の端部内に同心円状に配置される中空伸縮部材と、中空伸縮部材の第１の端部内に少なくとも部分的に配置される電気外科用ブレードであって、対向する平坦側部および切断縁部を備える非導電性部材、一方の対向する平坦側部に、一方の対向する平坦側部の少なくとも一部が切断縁部付近に露出するように配置された、アクティブ電極、ならびに他方の対向する平坦側部に、他方の対向する平坦側部の少なくとも一部が切断縁部付近に露出するように配置された、リターン電極を含む、電気外科用ブレードとを含む、超極性伸縮電気外科用ペンシルをさらに対象とする。超極性伸縮電気外科用ペンシルは、電気外科手術を行うために使用する際に単極モードと双極モードの両方で使用することができる。加えて、本発明の超極性伸縮電気外科用ペンシルは、低い電力レベル、すなわち２０ワット未満の電力レベルで、組織を切断および凝固することが可能である。
【手続補正４】
【補正対象書類名】明細書
【補正対象項目名】００１６
【補正方法】変更
【補正の内容】
【００１６】
例示的な一実施形態では、本発明の超極性伸縮電気外科用ペンシルは、第１および第２の端部を有するハンドピース部材と、第１および第２の端部を有する中空伸縮部材であって、中空伸縮部材の第２の端部がハンドピース部材の第１の端部内に同心円状に配置される中空伸縮部材と、中空伸縮部材の第１の端部内に少なくとも部分的に配置される電気外科用ブレードであって、対向する平坦側部および切断縁部を備える非導電性部材、一方の対向する平坦側部に、一方の対向する平坦側部の少なくとも一部が切断縁部付近に露出するように配置された、アクティブ電極、ならびに他方の対向する平坦側部に、他方の対向する平坦側部の少なくとも一部が切断縁部付近に露出するように配置された、リターン電極を含む、電気外科用ブレードと、第１の絶縁ワイヤであって、電気外科用ブレードのアクティブ電極、および第１の絶縁ワイヤの少なくとも一部をハンドピース部材の上部内側
付近に保持するための第１の保持要素に接続された、第１の絶縁ワイヤと、第２の絶縁ワイヤであって、電気外科用ブレードのリターン電極、および第２の絶縁ワイヤの少なくとも一部をハンドピース部材の下部内側付近に保持するための第２の保持要素に接続された、第２の絶縁ワイヤとを含む。この例示的な実施形態はまた、上述したノズル部材および旋回部材をも含んでよく、ノズル部材、中空伸縮部材、ハンドピース部材、および旋回部材が、手術部位から離れる方向に煙および／またはデブリを排出するための排出チャネルを形成し得る。
【手続補正５】
【補正対象書類名】明細書
【補正対象項目名】００１７
【補正方法】変更
【補正の内容】
【００１７】
別の例示的な実施形態では、本発明の超極性伸縮電気外科用ペンシルは、第１および第２の端部を有するハンドピース部材と、第１および第２の端部を有する中空伸縮部材であって、中空伸縮部材の第２の端部がハンドピース部材の第１の端部内に同心円状に配置される中空伸縮部材と、中空伸縮部材の第１の端部内に少なくとも部分的に配置される電気外科用ブレードであって、対向する平坦側部および切断縁部を備える非導電性部材、一方の対向する平坦側部に、一方の対向する平坦側部の少なくとも一部が切断縁部付近に露出するように配置された、アクティブ電極、ならびに他方の対向する平坦側部に、他方の対向する平坦側部の少なくとも一部が切断縁部付近に露出するように配置された、リターン電極を含む、電気外科用ブレードと、ハンドピース部材の上部内面に取り付けられた導電性細長接点部材、および導電性細長接点部材に対して摺動可能に係合することができるように電気外科用ブレードのアクティブ電極に接続された導電性接点部材と、中空伸縮部材内に収容され、電気外科用ブレードのリターン電極に接続された、中空導電性管状部材、および中空導電性管状部材内でその長さに沿って摺動することができるようにハンドピース部材に接続された中実導電性ロッド部材とを含む。
【手続補正６】
【補正対象書類名】明細書
【補正対象項目名】００１８
【補正方法】変更
【補正の内容】
【００１８】
この第２の例示的な実施形態では、導電性接点部材の少なくとも一部は、中空伸縮部材内およびその内部に配置されてもよく、導電性接点部材の少なくとも一部は、中空伸縮部材の外面に配置されてもよい。加えて、中空伸縮部材内に収容され、電気外科用ブレードのリターン電極に接続された、中空導電性管状部材の代わりに、それは、中空伸縮部材内に収容され、電気外科用ブレードのリターン電極に接続された、中実導電性ロッドであることも可能である。この場合には、ハンドピース部材に接続された中実導電性ロッドの代わりに、中空導電性管状部材がハンドピース部材に接続されることになり、したがって中空伸縮部材内に収容された中実導電性ロッドは、ハンドピース部材内に収容された中空導電性管状部材内で摺動することができる。上述の第１の例示的な実施形態と同様に、この第２の例示的な実施形態も、上述したノズル部材および旋回部材を含んでもよく、ノズル部材、中空伸縮部材、ハンドピース部材、および旋回部材が、手術部位から離れる方向に煙および／またはデブリを排出するための排出チャネルを形成し得る。
【手続補正７】
【補正対象書類名】明細書
【補正対象項目名】００２６
【補正方法】変更
【補正の内容】
【００２６】
図１は、本発明の超極性伸縮電気外科用ペンシルに使用される超極性電気外科用ブレード１０の例示的な実施形態の側面透視図である。超極性電気外科用ブレード１０は、第１および第２の対向する平坦側部１４，１６、頂部１８、底部２０、鋭利な切断縁部２６を備える切断端２２、ならびに非切断端２４を有する非導電性部材１２と、非導電性部材１２の第１の対向する平坦側部１４に、第１の対向する平坦側部１４の少なくとも一部が鋭利な切断縁部２６付近に露出するように配置された、アクティブ電極３０とを含む。ブレード１０の底部に対する鋭利な切断縁部２６の角度Ｘは、図１に示すように、２０度未満であってもよい。超極性電気外科用ブレード１０はまた、非導電性部材上に収容されたアクティブ電極およびリターン電極と連通する導電性インサート部材８０をも含む。図１は、導電性インサート部材８０のうちの１つと連通する、第１の対向する平坦側部１４上のアクティブ電極３０を示し、それによってその導電性インサート部材は上部アクティブ導電性インサート部材となっている。アクティブ電極３０は、非導電性部材１２の第１の対向する平坦側部１４上に被着された導電層であってもよく、ステンレス鋼、銅、および／またはタングステンを含んでもよい。図１に示すように、アクティブ電極３０は、非導電性部材１２の第１の対向する平坦側部１４の長さに沿って、非導電性部材１２の頂部１８付近に延在する細長い導電層であり、非導電性部材１２の第１の対向する平坦側部１４に配置された「Ｖ」字形フック状の形状が非導電性部材１２の切断端２２付近にある。アクティブ電極３０はまた、非導電性部材１２の第１の対向する平坦側部１４の全長に沿って非導電性部材１２の非切断端２４まで延在し、次いで導電性インサート部材８０のうちの１つと連通するように非導電性部材１２の非切断端２４に巻き付く。非導電性部材１２はまた、導電性インサート部材８０を挿入するための非切断端２４内の開口（図示せず）と、超極性電気外科用ブレード１０が超極性伸縮電気外科用ペンシル内に配置されると超極性伸縮電気外科用ペンシルの内周に隣接して位置する丸みを帯びた部分９０とを含む。
【手続補正８】
【補正対象書類名】明細書
【補正対象項目名】００２７
【補正方法】変更
【補正の内容】
【００２７】
図２は、図１に示した超極性電気外科用ブレード１０の例示的な実施形態の反対側の側面図である。超極性電気外科用ブレード１０は、第１および第２の対向する平坦側部１４，１６、頂部１８、底部２０、鋭利な切断縁部２６を備える切断端２２、ならびに非切断端２４を有する非導電性部材１２と、非導電性部材１２の第２の対向する平坦側部１６に、第２の対向する平坦側部１６の少なくとも一部が鋭利な切断縁部２６付近に露出するように配置された、リターン電極３２とを含む。超極性電気外科用ブレード１０はまた、非導電性部材１２上に収容されたアクティブ電極およびリターン電極と連通する導電性インサート部材８０をも含む。図２は、導電性インサート部材８０のうちの１つと連通する、第２の対向する平坦側部１６上のリターン電極３２を示し、それによってその導電性インサート部材は下部リターン導電性インサート部材となっている。リターン電極３２は、非導電性部材１２の第２の対向する平坦側部１６上に被着された導電層であってもよく、ステンレス鋼、銅、および／またはタングステンを含んでもよい。図２に示すように、リターン電極３２は、非導電性部材１２の第２の対向する平坦側部１６の長さに沿って、非導電性部材１２の頂部１８付近に延在する細長い導電層であり、非導電性部材１２の第２の対向する平坦側部１６に配置された「Ｖ」字形フック状の形状が非導電性部材１２の切断端２２付近にある。リターン電極３２はまた、非導電性部材１２の第２の対向する平坦側部１６の全長に沿って非導電性部材１２の非切断端２４まで延在し、次いで導電性インサート部材８０のうちの１つと連通するように非導電性部材１２の非切断端２４に巻き付く。非導電性部材１２はまた、導電性インサート部材８０を挿入するための非切断端２４内の開口（図示せず）と、超極性電気外科用ブレード１０が超極性伸縮電気外科用ペンシル
内に配置されると超極性伸縮電気外科用ペンシルの内周に隣接して位置する丸みを帯びた部分９０とを含む。非導電性部材１２の第１および第２の対向する平坦側部１４，１６に位置するアクティブ電極３０およびリターン電極３２は、それぞれ対向する互いの鏡像である。
【手続補正９】
【補正対象書類名】明細書
【補正対象項目名】００２８
【補正方法】変更
【補正の内容】
【００２８】
図３は、本発明の超極性伸縮電気外科用ペンシル１００の例示的な一実施形態の別々の構成部品を示す側面断面図であり、図１および図２に図示した超極性電気外科用ブレード１０を、本発明の超極性伸縮電気外科用ペンシル１００の中空伸縮部材内に設置された状態で示している。超極性伸縮電気外科用ペンシル１００は、第１および第２の端部１０４，１０６を備えるハンドピース部材１０２と、第１および第２の端部１１４，１１６を備える中空伸縮部材１１２であって、超極性伸縮電気外科用ペンシル１００が使用のために組み立てられると、中空伸縮部材１１２の第２の端部１１６がハンドピース部材１０２の第１の端部１０４内に同心円状に配置（および保持）される、中空伸縮部材１１２とを含む。超極性伸縮電気外科用ペンシル１００はまた、中空伸縮部材１１２の第１の端部１１４に配置される超極性電気外科用ブレード１０をも含む。超極性電気外科用ブレード１０は、対向する平坦側部１４，１６、鋭利な切断縁部２６を備える切断端２２、および対向する非切断端２４を有する非導電性平坦部材１２と、一方の対向する平坦側部１４に位置し、一方の対向する平坦側部１４の少なくとも一部が非導電性平坦部材１２の非導電性切断端２２付近に露出する、アクティブ電極３０と、他方の対向する平坦側部１６（図示せず）に位置し、他方の対向する平坦側部の少なくとも一部が非導電性平坦部材１２の非導電性切断端２２付近に露出する、リターン電極３２（反対側にあるため図示せず）とを含む。非導電性平坦部材１２の非切断端２４には、導電性インサート部材８０が位置しており、それぞれアクティブ電極３０およびリターン電極３２と連通している。
【手続補正１０】
【補正対象書類名】明細書
【補正対象項目名】００２９
【補正方法】変更
【補正の内容】
【００２９】
超極性伸縮電気外科用ペンシル１００はまた、ハンドピース部材１０２の上部内面に取り付けられた（導電性チャネルの形をとり得る）導電性細長接点部材１２０と、導電性接点部材１２２であって、中空伸縮部材１１２の第２の端部１１６がハンドピース部材１０２内に配置されると、導電性接点部材１２２の一部がハンドピース部材１０２内に収容された導電性細長接点部材１２０と摺動可能に係合するように、導電性インサート部材８０を通じて電気外科用ブレード１０のアクティブ電極３０に接続された、導電性接点部材１２２とを含む。導電性接点部材１２２の一部は、中空伸縮部材１１２の内部に配置されてもよく、導電性接点部材１２２の一部は、中空伸縮部材１１２の外面に配置されてもよい。超極性伸縮電気外科用ペンシル１００はまた、中空伸縮部材１１２内に収容され、導電性インサート部材８０を通じて電気外科用ブレード１０のリターン電極（図示せず）に接続された、中空導電性管状部材１４０と、中空導電性管状部材１４０内でその長さに沿って摺動することができるようにハンドピース部材１０２内に収容された中実導電性ロッド部材１４２とを含む。中空伸縮部材１１２には、中空導電性管状部材１４０を中空伸縮部材１１２内に保持するための第１の支持部材１５０が接続されてもよく、ハンドピース部材１０２には、中実導電性ロッド部材１４２をハンドピース部材１０２内に保持するための第２の支持部材１５２が接続されてもよい。
【手続補正１１】
【補正対象書類名】明細書
【補正対象項目名】００３３
【補正方法】変更
【補正の内容】
【００３３】
超極性伸縮電気外科用ペンシル２００は、第１および第２の端部２０４，２０６を備えるハンドピース部材２０２と、第１および第２の端部２１４，２１６を備える中空伸縮部材２１２であって、超極性伸縮電気外科用ペンシル２００が使用のために組み立てられると、中空伸縮部材２１２の第２の端部２１６がハンドピース部材２０２の第１の端部２０４内に同心円状に配置（および保持）される、中空伸縮部材２１２とを含む。超極性伸縮電気外科用ペンシル２００はまた、中空伸縮部材２１２の第１の端部２１４に配置される超極性電気外科用ブレード１０をも含む。超極性電気外科用ブレード１０は、対向する平坦側部１４，１６、鋭利な切断縁部２６を備える切断端２２、および対向する非切断端２４を有する非導電性平坦部材１２と、一方の対向する平坦側部１４に位置し、一方の対向する平坦側部１４の少なくとも一部が非導電性平坦部材１２の非導電性切断端２２付近に露出する、アクティブ電極３０と、他方の対向する平坦側部１６（図示せず）に位置し、他方の対向する平坦側部の少なくとも一部が非導電性平坦部材１２の非導電性切断端２２付近に露出する、リターン電極３２（反対側にあるため図示せず）とを含む。非導電性平坦部材１２の非切断端２４には、導電性インサート部材８０が位置しており、それぞれアクティブ電極３０およびリターン電極３２と連通している。
【手続補正１２】
【補正対象書類名】明細書
【補正対象項目名】００３４
【補正方法】変更
【補正の内容】
【００３４】
超極性伸縮電気外科用ペンシル２００はまた、ハンドピース部材２０２の上部内面に取り付けられた（導電性チャネルの形をとり得る）導電性細長接点部材２２０と、導電性接点部材２２２であって、中空伸縮部材２１２の第２の端部２１６がハンドピース部材２０２内に配置されると、導電性接点部材２２２の一部がハンドピース部材２０２内に収容された導電性細長接点部材２２０と摺動可能に係合するように、導電性インサート部材８０を通じて電気外科用ブレード１０のアクティブ電極３０に接続された、導電性接点部材２２２とを含む。導電性接点部材２２２の一部は、中空伸縮部材２１２の内部に配置されてもよく、導電性接点部材２２２の一部は、中空伸縮部材２１２の外面に配置されてもよい。超極性伸縮電気外科用ペンシル２００はまた、中空伸縮部材２１２内に収容され、導電性インサート部材８０を通じて電気外科用ブレード１０のリターン電極（図示せず）に接続された、中空導電性管状部材２４０と、中空導電性管状部材２４０内でその長さに沿って摺動することができるようにハンドピース部材２０２内に収容された中実導電性ロッド部材２４２とを含む。中空伸縮部材２１２には、中空導電性管状部材２４０を中空伸縮部材２１２内に保持するための第１の支持部材２５０が接続されてもよく、ハンドピース部材２０２には、中実導電性ロッド部材２４２をハンドピース部材２０２内に保持するための第２の支持部材２５２が接続されてもよい。
【手続補正１３】
【補正対象書類名】明細書
【補正対象項目名】００３８
【補正方法】変更
【補正の内容】
【００３８】
超極性伸縮電気外科用ペンシル３００は、第１および第２の端部３０４，３０６を備え
るハンドピース部材３０２と、第１および第２の端部３１４，３１６を備える中空伸縮部材３１２であって、超極性伸縮電気外科用ペンシル３００が使用のために組み立てられると、中空伸縮部材３１２の第２の端部３１６がハンドピース部材３０２の第１の端部３０４内に同心円状に配置（および保持）される、中空伸縮部材３１２とを含む。超極性伸縮電気外科用ペンシル３００はまた、中空伸縮部材３１２の第１の端部３１４に配置される超極性電気外科用ブレード１０をも含む。超極性電気外科用ブレード１０は、対向する平坦側部１４，１６、鋭利な切断縁部２６を備える切断端２２、および対向する非切断端２４を有する非導電性平坦部材１２と、一方の対向する平坦側部１４に位置し、一方の対向する平坦側部１４の少なくとも一部が非導電性平坦部材１２の非導電性切断端２２付近に露出する、アクティブ電極３０と、他方の対向する平坦側部１６（図示せず）に位置し、他方の対向する平坦側部の少なくとも一部が非導電性平坦部材１２の非導電性切断端２２付近に露出する、リターン電極３２（反対側にあるため図示せず）とを含む。非導電性平坦部材１２の非切断端２４には、導電性インサート部材８０が位置しており、それぞれアクティブ電極３０およびリターン電極３２と連通している。
【手続補正１４】
【補正対象書類名】明細書
【補正対象項目名】００４０
【補正方法】変更
【補正の内容】
【００４０】
第１の絶縁ワイヤ３２２は、回路基板３６０に接続されており、それによって超極性電気外科用ブレード１０のアクティブ電極３０を回路基板３６０に接続する。ワイヤ３７０などの連通手段が、超極性伸縮電気外科用ペンシル３００に電力を供給するために回路基板３６０を電気手術器（図示せず）に接続し、超極性伸縮電気外科用ペンシル３００は、電気外科用ペンシル３００の上部３６６に位置する作動ボタン３６４を介して動作させることができる。第２の絶縁ワイヤ３２４は、リターン電極（図示せず）を電気手術器（図示せず）に接続する。第１および第２の絶縁ワイヤ３２２，３２４は、外科医または使用者が、ハンドピース部材３０２からまたはハンドピース部材３０２に中空伸縮部材３１２を伸長または収縮させることにより、超極性伸縮電気外科用ペンシルを長くするまたは短くするとき、中空伸縮部材３１２およびハンドピース部材３０２内で自由に移動する。
【手続補正１５】
【補正対象書類名】明細書
【補正対象項目名】００４３
【補正方法】変更
【補正の内容】
【００４３】
図６は、本発明の非伸縮超極性電気外科用ペンシル４００の例示的な実施形態の側面断面図である。非伸縮超極性電気外科用ペンシル４００は、第１および第２の端部４０４，４０６を備えるハンドピース４０２と、ハンドピース４０２の第１の端部４０４に配置される電気外科用ブレード４１０であって、対向する平坦側部４１４，４１６、鋭利な切断縁部４２６を備える切断端４２２、および対向する非切断端４２４を有する非導電性平坦部材４１２、一方の対向する平坦側部４１４に位置し、一方の対向する平坦側部４１４の少なくとも一部が非導電性平坦部材４１２の非導電性切断端４２２付近に露出する、アクティブ電極４３０、ならびに他方の対向する平坦側部４１６（図示せず）に位置し、他方の対向する平坦側部の少なくとも一部が非導電性平坦部材４１２の非導電性切断端４２２付近に露出する、リターン電極４３２（反対側にあるため図示せず）を含む、電気外科用ブレード４１０とを含む。ハンドピース４０２は、電気外科用ペンシル４００の作動中に手術部位から煙およびデブリを排出するための、その中に収容された煙排出チャネル４０８をさらに備えてもよい。加えて、ハンドピース４０２は、非導電性平坦部材４１２の鋭利な切断縁部４２６が、超極性電気外科用ブレード４１０に電力を印加することなく正確
な切断を行うことができるので、１つだけの凝固用の作動ボタン４０９をさらに備えてもよい。あるいは、ハンドピース部材は、２つ以上の切断および凝固用の作動ボタン４０９を含んでもよい。超極性電気外科用ブレード４１０はまた、超極性電気外科用ブレード４１０を電気外科用ペンシルに接続するように機能するコネクタ４９０をも含んでもよい。超極性電気外科用ペンシル４００はまた、透明であってもよい、ハンドピース４０２に接続されたノズル部材４４０をも含んでもよく、その場合、ハンドピース４０２の第１の端部４０４はノズル部材４４０の一部である。超極性電気外科用ペンシル４００はまた、超極性電気外科用ブレード４１０のアクティブ電極４３０を超極性電気外科用ペンシル４００の回路基板４４８に接続するための、ワイヤ４４５などの導電性連通手段と、超極性電気外科用ブレード４１０のリターン電極４３２を超極性電気外科用ペンシル４００用の導電性配線を収容する電源コード（図示せず）に接続するための、ワイヤ４４６などの導電性連通手段とを含む。超極性電気外科用ペンシル４００はまた、ハンドピース４０２の第２の端部４０６に接続され、さらには手術部位から煙およびデブリを排出するための真空管に接続された、旋回部材４６０をも含んでもよい。